(57)【要約】【課題】シートに接着されている複数の基板のうち所望の一の基板のみを簡略な操作で回収する。【解決手段】紫外線の照射により接着力が低下する紫外線剥離性の接着剤によりシート部材３の一方の面に面方向に配列して接着された複数の基板２のうち所望の基板２を回収する基板回収装置であって、シート部材３を支持する支持部と、シート部材に突き当てられる突き当て端９ａと、該突き当て端９ａの近傍に設けられて突き当て端９ａの前方に向かって紫外線Ｌを出射するとともに基板２の端面の寸法と略同一またはそれよりも小さい寸法の形状を有する光出射面５ｃとを有する押圧部材６と、該押圧部材６を、支持部に支持されたシート部材３の他方の面側において突き当て端９ａをシート部材３に向けて保持し該シート部材に近接する方向に移動させる移動機構とを備える基板回収装置を提供する。【選択図】図７
2014020996.tif 000002
【特許請求の範囲】
【請求項１】
紫外線の照射により接着力が低下する紫外線剥離性の接着剤によりシート部材の一方の面に面方向に配列して接着された複数の基板のうち所望の基板を回収する基板回収装置であって、
前記シート部材を支持する支持部と、
前記シート部材に突き当てられる突き当て端と、該突き当て端の近傍に設けられて前記突き当て端の前方に向かって紫外線を出射するとともに前記基板の端面の寸法と略同一またはそれよりも小さい寸法の形状を有する光出射面とを有する押圧部材と、
該押圧部材を、前記支持部に支持された前記シート部材の前記他方の面側において前記突き当て端を前記シート部材に向けて保持し該シート部材に近接する方向に移動させる移動機構とを備える基板回収装置。
【請求項２】
前記押圧部材は、前記光出射面としての一端面を有する光ファイバを備える請求項１に記載の基板回収装置。
【請求項３】
前記押圧部材が、前記光ファイバを収容し該光ファイバよりも高い剛性を有する外筒を備える請求項２に記載の基板回収装置。
【請求項４】
前記外筒の先端が、前記光ファイバの前記一端面よりも突出した位置に配置されている請求項３に記載の基板回収装置。
【請求項５】
前記外筒が、前記先端に向かって漸次薄く形成されてなる尖端を前記先端に備える請求項４に記載の基板回収装置。
【請求項６】
前記光ファイバの前記一端面が、前記外筒の先端よりも突出した位置に配置されている請求項３に記載の基板回収装置。
【請求項７】
前記押圧部材が、前記突き当て端近傍に設けられ前記光出射面としての発光面を有する発光ダイオードを備える請求項１に記載の基板回収装置。
【請求項８】
紫外線の照射により接着力が低下する紫外線剥離性の接着剤によりシート部材の一方の面に面方向に配列して接着された複数の基板のうち所望の基板を回収する基板回収方法であって、
前記基板の端面の寸法と略同一またはそれよりも小さい寸法の形状を有する光出射面から、前記シート部材に他方の面側から紫外線を照射し、前記光出射面の近傍に該光出射面と一体に設けられた突き当て端を前記シート部材の前記他方の面に突き当てて前記基板を押圧する基板回収方法。
【発明の詳細な説明】
【技術分野】
【０００１】
本発明は、基板回収装置および基板回収方法に関するものである。
【背景技術】
【０００２】
従来、病変部位などの特定の領域に存在する核酸やタンパク質などの生体分子を解析する方法として、高出力のレーザを照射することにより生体組織の切片の特定の領域から断片を採取するレーザーマイクロダイセクション（ＬＭＤ）が知られている（例えば、非特許文献１参照。）。また、ＬＭＤに比較してより広範囲かつより厚い試料を容易に採取する手段として、ミクロトームなどにより薄切された切片を基板に貼り付けて該基板とともに切片を切断し、切片の断片を採取する方法が提案されている（例えば、特許文献１参照。）。
【０００３】
特許文献１によれば、紫外線の照射により接着力を失う紫外線剥離性の接着剤により基板をシートに貼り付け、紫外線の照射によりシートと基板との間の接着力を弱めた後、所望の基板の裏面をシートを介して押圧することにより、基板を落下させて回収している。
【先行技術文献】
【特許文献】
【０００４】
【特許文献１】国際公開第２０１１／１４９００９号
【非特許文献】
【０００５】
【非特許文献１】Alfred  Vogel，外５名、“Mechanisms  of  Laser-Induced  Dissection  and  Transport  of  Histologic  Specimens”、Biophysical  Journal、2007年12月15日、Volume 93、p.4481-4500
【発明の概要】
【発明が解決しようとする課題】
【０００６】
しかしながら、シートの広範囲に紫外光を照射した場合、複数の基板とシートとの間の接着力が弱まり、所望の一の基板を押圧したときに、該所望の基板以外の基板も振動などによりシートから剥離して落下してしまう可能性がある。また、紫外線を照射する部材と基板を押圧する部材とを別々に基板に対して位置合わせする必要がある。特に基板が微小であったり、複数の基板を回収したりする場合には、この位置合わせの手間が操作者にとって負担になるという不都合がある。
【０００７】
本発明は、上述した事情に鑑みてなされたものであって、シートに接着されている複数の基板のうち所望の一の基板のみを簡略な操作で回収することができる基板回収装置および基板回収方法を提供する。
【課題を解決するための手段】
【０００８】
上記目的を達成するため、本発明は以下の手段を提供する。
本発明は、紫外線の照射により接着力が低下する紫外線剥離性の接着剤によりシート部材の一方の面に面方向に配列して接着された複数の基板のうち所望の基板を回収する基板回収装置であって、前記シート部材を支持する支持部と、前記シート部材に突き当てられる突き当て端と、該突き当て端の近傍に設けられて前記突き当て端の前方に向かって紫外線を出射するとともに前記基板の端面の寸法と略同一またはそれよりも小さい寸法の形状を有する光出射面とを有する押圧部材と、該押圧部材を、前記支持部に支持された前記シート部材の前記他方の面側において前記突き当て端を前記シート部材に向けて保持し該シート部材に近接する方向に移動させる移動機構とを備える基板回収装置を提供する。
【０００９】
本発明によれば、支持部によりシート部材を保持し、基板との間にシート部材を挟んで配置された押圧部材の突き当て端を移動機構によりシート部材の近傍に移動させ、光出射面から紫外線を出射させることにより接着剤による基板とシート部材との接着力を低下させ、突き当て端を移動機構によりシート部材に突き当てて基板を押圧することで、該基板をシート部材から剥離させて突き当て端による押圧方向に飛翔させ、回収することができる。
【００１０】
この場合に、基板の端面の寸法と同等またはそれよりも小さい形状を有し基板の近傍に配置された光出射面から出射される紫外線は、複数の基板のうち単一の基板を含む範囲に照射されるので、当該単一の基板とシート部材との接着力が局所的に低下する。これにより、突き当て端によりシート部材を押圧したときに単一の基板のみが選択的にシート部材から剥離し、該単一の基板のみを回収することができる。また、光出射面と突き当て端とが互いに近接した位置に一体に設けられているので、光出射面と突き当て端とを基板に対して一度に位置合わせすることができ、操作を簡略にすることができる。
【００１１】
上記発明においては、前記押圧部材は、前記光出射面としての一端面を有する光ファイバを備えていてもよい。
このようにすることで、光ファイバの他端面に入射した紫外線を一端面から出射させることができる。
【００１２】
また、上記発明においては、前記押圧部材が、前記光ファイバを収容し該光ファイバよりも高い剛性を有する外筒を備えていてもよい。
このようにすることで、光ファイバの低い剛性を外筒により補い、光出射面である光ファイバの一端面の操作を容易にすることができる。
【００１３】
また、上記発明においては、前記外筒の先端が、前記光ファイバの前記一端面よりも突出した位置に配置されていてもよい。
このようにすることで、外筒の先端を突き当て端として用いることができる。
【００１４】
また、上記発明においては、前記外筒が、前記先端に向かって漸次薄く形成されてなる尖端を前記先端に備えていてもよい。
このようにすることで、外筒の尖端をシート部材に突き当てたときに尖端がシート部材を貫通して基板の端面を直接押圧することにより、基板をさらに確実にシート部材から剥離させて回収することができる。
【００１５】
また、上記発明においては、前記光ファイバの前記一端面が、前記外筒の先端よりも突出した位置に配置されていてもよい。
このようにすることで、光ファイバの一端面を突き当て端としても用いることができる。
【００１６】
また、上記発明においては、前記押圧部材が、前記突き当て端近傍に設けられ前記光出射面としての発光面を有する発光ダイオードを備えていてもよい。
このようにすることで、別途紫外線光源を設ける必要がなくなり、装置構成を簡略にすることができる。
【００１７】
また、本発明は、紫外線の照射により接着力が低下する紫外線剥離性の接着剤によりシート部材の一方の面に面方向に配列して接着された複数の基板のうち所望の基板を回収する基板回収方法であって、前記基板の端面の寸法と略同一またはそれよりも小さい寸法の形状を有する光出射面から、前記シート部材に他方の面側から紫外線を照射し、前記光出射面の近傍に該光出射面と一体に設けられた突き当て端を前記シート部材の前記他方の面に突き当てて前記基板を押圧する基板回収方法を提供する。
【発明の効果】
【００１８】
本発明によれば、シートに接着されている複数の基板のうち所望の一の基板のみを簡略な操作で回収することができるという効果を奏する。
【図面の簡単な説明】
【００１９】
【図１】本発明の一実施形態に係る基板回収装置の全体構成図である。
【図２】図１の基板回収装置に適用される基板を示す図である。
【図３】図１の基板回収装置が備える押圧部材の先端部分の縦断面図である。
【図４】図３の押圧部材の先端の形状を示す斜視図である。
【図５】図３の押圧部材の先端の形状の変形例を示す斜視図である。
【図６】図１の基板回収装置の作用を説明する図である。
【図７】図１の基板回収装置の作用を説明する図である。
【図８】図１の基板回収装置の作用を説明する図である。
【図９】図３の押圧部材の変形例を示す縦断面図である。
【図１０】図９の押圧部材の作用を説明する図である。
【図１１】図９の押圧部材の作用を説明する図である。
【図１２】図３の押圧部材のもう１つの変形例を示す縦断面図である。
【図１３】図１２の押圧部材の作用を説明する図である。
【図１４】図１２の押圧部材の作用を説明する図である。
【図１５】図３の押圧部材のもう１つの変形例を示す側面図である。
【発明を実施するための形態】
【００２０】
以下に、本発明の一実施形態に係る基板回収装置１およびこれを用いた基板回収方法について図面を参照して説明する。
本実施形態に係る基板回収装置１は、図１に示されるように、一方の面に基板２が接着されているシート（シート部材）３が載置されるステージ（支持部）４と、内部に光ファイバ５を収容している押圧部材６と、ステージ４の上方において押圧部材６を保持するとともに該押圧部材６を上下方向に移動させる移動機構７と、紫外線Ｌを出力する光源８とを備えている。
【００２１】
基板２は、図２に示されるように、シート３の一方の面に複数配列されている。各基板２の表面には組織の切片Ｘの断片Ｘ’が貼り付けられている。このような複数の基板２は、例えば、表面に切片Ｘが貼り付けられているカバーガラスのような元基板をシート３に接着し、シート３上において元基板を切片Ｘとともに裁断することにより作成される。ここで、基板２の裏面は、波長３００ｎｍ〜４５０ｎｍの紫外線Ｌの照射により接着力が低下する紫外線剥離性の接着剤によりシート３に接着されている。
【００２２】
基板２同士の間には隙間２ａが形成されている。この隙間２ａは、例えば、元基板の裁断に用いる刃の厚みにより形成される。または、シート３として表面方向に伸展可能なものを用い、シート３を伸展させることによる隙間２ａを生じさせてもよい。
【００２３】
ステージ４は、例えば、中央部に開口４ａを有する倒立型光学顕微鏡のステージであり、水平方向に移動可能である。基板２が接着している一方の面を下方に向け、開口４ａ内に基板２が配置されるようにシート３をステージ４に載置し、シート３の端をクリップ等の押さえ部材４ｂで押さえることにより、シート３がステージ４上に略水平に安定に支持される。ステージ４に載置されたシート３および該シート３に接着している基板２は、ステージ４の下方に配置された対物レンズ１０により拡大観察可能となっている。ステージ４と対物レンズ１０との間には、基板２を回収するマイクロチューブのような回収容器１１が配置される空間が形成されている。
【００２４】
押圧部材６は、両端面に開口を有する筒状の外筒９と、該外筒９の内部に長手方向に沿って挿入されている光ファイバ５とを備えている。光ファイバ５は、中心部を通り紫外線Ｌを伝搬するコア５ａと、該コア５ａの外周面を覆うクラッド５ｂとを備えている。コア５ａの一端面である光出射面５ｃは、図３に示されるように、外筒９の先端よりも基端側に引っ込んだ位置に配置されている。コア５ａの他端面である光入射面を含む光ファイバ５の基端面は、外筒９の外部において光源８に接続されている。光ファイバ５は、光源８から光入射面に入射された紫外線Ｌを光出射面５ｃまで導光し、該光出射面５ｃから外筒９の先端前方へ向かって紫外線Ｌを出射するようになっている。ここで、光出射面５ｃは、基板２の裏面と略同一または該裏面よりも狭い形状を有している。
【００２５】
外筒９は、金属などの硬質な材料からなり、光ファイバ５の剛性よりも高い剛性を有している。外筒９により光ファイバ５を支持することで、光ファイバ５の形状を安定させ、光出射面５ｃの位置の操作を容易にすることができる。
【００２６】
また、外筒９は、図４に示されるように、先端に尖鋭な突き当て端９ａを有している。突き当て端９ａは、外筒９の周壁の先端部分が先端に向かって漸次薄くかつ細く形成されてなる針状であり、外筒９の周方向に複数（図示する例では４つ）配列して設けられている。また、複数の突き当て端９ａは、同一の平面上に配置されるとともに、基板２の裏面よりも狭い範囲内に配置されている。これにより、後述するように複数の突き当て端９ａを基板２の裏面と接触させたときに、複数の突き当て端９ａが同時に裏面に接触し、該裏面に均等に押圧力が作用するようになっている。
【００２７】
なお、突き当て端９ａ’は、図５に示されるように、環状に形成されていてもよい。この場合も、突き当て端９ａ’は、基板２の裏面よりも狭い範囲の形状を有し、単一の基板２の裏面に同時に全周にわたって接触可能となっている。
【００２８】
移動機構７は、突き当て端９ａを略鉛直下方に向けて外筒９の基端部分を保持し、略鉛直方向および略水平方向に押圧部材６を移動可能に構成されている。
【００２９】
次に、このように構成された基板回収装置１を用いた基板回収方法について説明する。
本実施形態に係る基板回収装置１を使用し、複数の基板２のうち切片Ｘの所望の領域を含む断片Ｘ’が付着している基板２を回収するには、基板２を下方に向けてシート３をステージ４に設置し、対物レンズ１０を介して観察される視野の略中心に、所望の断片Ｘ’が付着している基板２が配置されるように、ステージ４の水平方向の位置を調節する。次に、移動機構７を水平方向に移動させて突き当て端９ａを視野の略中心に配置する。次に、回収容器１１を、ステージ４と対物レンズ１０との間の空間の突き当て端９ａの略鉛直下方となる位置に配置する。
【００３０】
次に、移動機構７を操作することにより押圧部材６を略鉛直下方に移動させ、図６に示されるように、突き当て端９ａをシート３に近接した位置に配置する。次に、光源８を作動させることにより紫外線Ｌを光ファイバ５の光入射面に入射する。該光ファイバ５を導光して光出射面５ｃから出射された紫外線Ｌは、図７に示されるように、光出射面５ｃに対して対向配置されているシート３に照射される。これにより、所望の基板２とシート３との間の接着力が低下する。
【００３１】
このときに、光出射面５ｃから出射された紫外線Ｌは拡散しながらシート３に照射されるが、光出射面５ｃがシート３に十分に近接して配置され、かつ、光出射面５ｃが基板２の裏面の範囲と略同一またはそれ以下の範囲の形状を有しているので、紫外線Ｌは所望の単一の基板２のみを含む範囲に照射される。
【００３２】
次に、移動機構７を再び操作することにより、図８に示されるように、押圧部材６を鉛直下方に移動させる。突き当て端９ａは、シート３に突き当たった後に該シート３を貫通する。これにより、視野の略中心に配置した所望の基板２の裏面が突き当て端９ａにより略鉛直下方に押圧されてシート３から剥離し、回収容器１１内に落下する。以上の操作により、所望の断片Ｘ’が付着している基板２を回収容器１１に回収することができる。
【００３３】
このように、本実施形態によれば、複数の基板２のうち所望の単一の基板２とシート３との間の接着力が選択的に低下させられる。したがって、突き当て端９ａによりシート３を押圧したときに、所望の基板２以外もシート３から剥離して落下することがなく、所望の基板２のみを選択的に回収することができるという利点がある。また、光ファイバ５の光出射面５ｃと突き当て端９ａとが互いに近接した位置に一体に設けられている。したがって、光出射面５ｃと突き当て端９ａとを、所望の基板２に対して同時に位置合わせすることができ、操作を簡略にすることができるという利点がある。
【００３４】
なお、本実施形態においては、外筒９が有する突き当て端９ａにより基板２を押圧することとしたが、これに代えて、図９に示されるように、光ファイバ５の先端面が外筒９１の先端よりも突出した位置に配置され、押圧部材６１が、光ファイバ５の光出射面５ｃを含む先端面（突き当て端）５ｃにより基板２を押圧してもよい。この場合、外筒９１の先端の形状は任意であってよい。
【００３５】
このようにしても、上述した押圧部材６と同様に、図１０に示されるように、所望の基板２のみに選択的に紫外線Ｌを照射し、次に、図１１に示されるように、光ファイバ５の先端面をシート３に突き当てて基板２の裏面を押圧することで、所望の基板２のみを容易に回収することができる。
【００３６】
また、本実施形態においては、押圧部材６が、光ファイバ５と硬質の外筒９とを備えることとしたが、光ファイバ５が十分な剛性を有する場合には外筒９を省略してもよい。この場合、押圧部材６２は、図１２に示されるように、クラッド５１ｂの先端部が先端に向かって漸次薄く形成されてなる突き当て端５１ｄを先端に備え、該突き当て端５１ｄがコア５１ａの光出射面５１ｃよりも突出した位置に配置されていてもよい。図１２には、クラッド５１ｂの周方向に配列して設けられた複数の突き当て端５１ｄを有する構成が示されているが、突き当て端５１ｄは図５に示されるような環状であってもよい。
【００３７】
このようにしても、上述した押圧部材６と同様に、図１３に示されるように、所望の基板２のみに選択的に紫外線Ｌを照射し、次に、図１４に示されるように、突き当て端５１ｄをシート３に突き当てて基板２の裏面を押圧することで、所望の基板２のみを容易に回収することができる。
【００３８】
また、本実施形態においては、押圧部材６が光ファイバ５を備え、押圧部材６とは別体の光源８から光ファイバ５に紫外線Ｌを供給することとしたが、これに代えて、図１５に示されるように、押圧部材６３が、紫外線Ｌを発生する光源８１を突き当て端６３ａ近傍に備えていてもよい。光源８１としては発光ダイオードが好適に用いられ、発光ダイオードの光出射面８１ａが押圧部材６３の先端側を向いて配置される。この場合、図示しないスイッチにより発光ダイオードの点灯と消灯とを切り替え可能に構成される。図１５に示される押圧部材６３は、柱状の部材からなり、複数の針状の突き当て端６３ａと、該突き当て端６３ａよりも基端側に引っ込んだ位置に設けられた光源８１とを備えている。
【００３９】
このようにしても、上述した押圧部材６と同様に、所望の基板２のみに選択的に紫外線Ｌを照射し、その後に突き当て端６３ａをシート３に突き当てて基板２の裏面を押圧することで、所望の基板２のみを容易に回収することができる。また、光源８１と押圧部材６３とを一体とすることにより、装置構成を簡略にすることができる。
【符号の説明】
【００４０】
１  基板回収装置
２  基板
３  シート（シート部材）
４  ステージ（支持部）
５  光ファイバ
５ａ，５１ａ  コア
５ｂ，５１ｂ  クラッド
５ｃ，５１ｃ  光出射面
６，６１，６２，６３  押圧部材
７  移動機構
８  光源
９，９１  外筒
９ａ，５１ｄ，６３ａ  突き当て端
１０  対物レンズ
１１  回収容器
Ｌ  紫外線
Ｘ  切片
Ｘ’  断片
【図１】
2014020996.tif 000003
【図２】
2014020996.tif 000004
【図３】
2014020996.tif 000005
【図４】
2014020996.tif 000006
【図５】
2014020996.tif 000007
【図６】
2014020996.tif 000008
【図７】
2014020996.tif 000009
【図８】
2014020996.tif 000010
【図９】
2014020996.tif 000011
【図１０】
2014020996.tif 000012
【図１１】
2014020996.tif 000013
【図１２】
2014020996.tif 000014
【図１３】
2014020996.tif 000015
【図１４】
2014020996.tif 000016
【図１５】
2014020996.tif 000017